(57)【特許請求の範囲】
【請求項１】
ブレード（１）の幅方向（Ｗ）の中間に小貫孔（６）を有し、該小貫孔（６）に、上記ブレード（１）の長手方向（Ｌ）の移動を規制するズレ防止用規制珠（４）を配設し、該規制珠（４）が糸挿通孔（７）を有し、表糸（２）と裏糸（３）を上記糸挿通孔（７）に挿通させるとともに、上記表糸（２）と裏糸（３）を表裏方向（Ｔ）に交叉しないように、該表糸（２）を上記ブレード（１）の表面（１ａ）側に配設しかつ該裏糸（３）を上記ブレード（１）の裏面（１ｂ）側に配設したことを特徴とするブラインド。
【請求項２】
隣り合う上記ブレード（１）とブレード（１）の間に、所定間隔寸法（Ｈ）のギャップ（８）を形成するギャップ形成用介在珠（５）を配設し、該介在珠（５）が上下孔（９）を有し、上記表糸（２）と裏糸（３）を上記上下孔（９）に挿通させた請求項１記載のブラインド。
【発明の詳細な説明】
【技術分野】
【０００１】
本発明は、ブラインドに関する。
【背景技術】
【０００２】
従来、日除け、間仕切り等の目的で、複数の長手部材を糸で連結して略平面状としたブラインドが用いられている（例えば、特許文献１参照）。
【０００３】
しかし、表糸と裏糸を長手部材（ブレード）の表側と裏側に交互に配設して各長手部材を連結するので、製造時に手間がかかるとともに、長手部材が長手方向にずれるという問題があった。また、隣り合うブレードとブレードの間の間隔寸法（ギャップ）を一定に保持形成することができないという欠点があった。
【特許文献１】特開２００３−９３２２３号公報
【発明の開示】
【発明が解決しようとする課題】
【０００４】
解決しようとする課題は、製造に手間がかかるとともに、ブレードの長手方向の移動を規制することができない点である。また、隣り合うブレードとブレードの間に容易に一定のギャップを形成することができない点である。
【課題を解決するための手段】
【０００５】
そこで、本発明に係るブラインドは、ブレードの幅方向の中間に小貫孔を有し、該小貫孔に、上記ブレードの長手方向の移動を規制するズレ防止用規制珠を配設し、該規制珠が糸挿通孔を有し、表糸と裏糸を上記糸挿通孔に挿通させるとともに、上記表糸と裏糸を表裏方向に交叉しないように、該表糸を上記ブレードの表面側に配設しかつ該裏糸を上記ブレードの裏面側に配設したものである。
また、隣り合う上記ブレードとブレードの間に、所定間隔寸法のギャップを形成するギャップ形成用介在珠を配設し、該介在珠が上下孔を有し、上記表糸と裏糸を上記上下孔に挿通させたものである。
【発明の効果】
【０００６】
本発明のブラインドによれば、ブレードの長手方向の移動を規制することができる。ブレードとブレードの間に一定の間隔寸法のギャップを容易に形成することができる。すなわち、形状保持性が良好である。さらに、装飾性にも優れる。
【発明を実施するための最良の形態】
【０００７】
図１〜図３は、本発明の実施の一形態を示す。このブラインドは、例えば、図示省略の上補強長手部材と下補強長手部材と一体化されて、窓際に日除け兼装飾として吊設される。複数のブレード１が、表糸２、裏糸３、規制珠４、介在珠５により、連結されている。
【０００８】
具体的には、ブレード１は主として天然素材、例えば、木や竹から成る。ブレード１の幅方向Ｗの中間に小貫孔６を有する。小貫孔６に、ブレード１の長手方向Ｌの移動を規制するズレ防止用規制珠４が配設されている。規制珠４が糸挿通孔７を有する。隣り合うブレード１とブレード１の間に、所定間隔寸法Ｈのギャップ（間隙）８を形成するギャップ形成用介在珠５が配設されている。介在珠５が上下孔９を有する。
【０００９】
表糸２と裏糸３が規制珠４の糸挿通孔７に挿通している。表糸２と裏糸３が介在珠５の上下孔９に挿通している。すなわち、表糸２が、規制珠４の糸挿通孔７と介在珠５の上下孔９に交互に挿通している。そして、裏糸３が、規制珠４の糸挿通孔７と介在珠５の上下孔９に交互に挿通している。表糸２と裏糸３が表裏方向（ブレード１の厚さ方向）Ｔに交叉しないように、表糸２がブレード１の表面１ａ側に配設されかつ裏糸３がブレード１の裏面１ｂ側に配設されている。「表糸２と裏糸３が表裏方向（ブレード１の厚さ方向）Ｔに交叉しない」とは、表糸２と裏糸３の表側と裏側の位置関係が入れ代わらないことをいい、具体的には、表糸２が裏面１ｂ側に、裏糸３が表面１ａ側に配設されないことをいう。
【００１０】
なお、本発明に於て、「ブラインド」とは、複数のブレード１を糸で連結して略平面状に吊設するものをいい、各ブレード１は（図１〜図３のように）水平方向に配設する場合と、（図示省略したが）鉛直方向に配設する場合がある。
また、上記以外の点に於て、ブレード１、表糸２、裏糸３、規制珠４、介在珠５の種類・材質は限定されない。
【００１１】
本発明は、設計変更可能であって、例えば、規制珠４と介在珠５が同一の種類・材質の珠から成るも良い。この場合、単一の珠を使用するので、容易に製造することができる。逆に、規制珠４と介在珠５が異なる種類・材質の珠から成るも良い。この場合、２種類の珠を使用するので、デザイン上の美的変化が大きくなる。さらに、規制珠４と介在珠５が多種多様の異なる珠から成るも良い。この場合、多種多様な珠を使用するので、デザイン上の美的変化に富む。
【００１２】
また、全体構成が、ロール状に巻上げるタイプのもの、フラット状のままのもの、いわゆるバーチカルブラインドとしてカーテン状に左又は右に寄せて開くタイプのもの等であっても良い。また、表糸２が外観の良い糸から成り、裏糸３が強度の大きい糸から成るも好ましい。
【００１３】
以上のように、本発明は、ブレード１の幅方向Ｗの中間に小貫孔６を有し、小貫孔６に、ブレード１の長手方向Ｌの移動を規制するズレ防止用規制珠４を配設し、規制珠４が糸挿通孔７を有し、表糸２と裏糸３を糸挿通孔７に挿通させるとともに、表糸２と裏糸３を表裏方向Ｔに交叉しないように、表糸２をブレード１の表面１ａ側に配設しかつ裏糸３をブレード１の裏面１ｂ側に配設したので、容易に製造することができる。ブレード１の長手方向Ｌの移動を規制することができる。すなわち、ズレを防止することができて、形状保持性が良好である。さらに、装飾性にも優れる。すなわち、美的変化（美感上の変化）を容易に付与することができる。特に、規制珠４をデザイン上のアクセントとすることができる。
【００１４】
また、隣り合うブレード１とブレード１の間に、所定間隔寸法Ｈのギャップ８を形成するギャップ形成用介在珠５を配設し、介在珠５が上下孔９を有し、表糸２と裏糸３を上下孔９に挿通させたので、隣り合うブレード１とブレード１の間に容易に一定の間隔寸法のギャップ８を形成することができる。すなわち、ギャップ８の所定間隔寸法Ｈを介在珠５の上下寸法とすることができて、形状保持性が良好である。さらに、装飾性にも優れる。すなわち、美的変化（美感上の変化）を容易に付与することができる。特に、介在珠５をデザイン上のアクセントとすることができる。
【図面の簡単な説明】
【００１５】
【図１】本発明の実施の一形態を示す正面図である。
【図２】要部拡大図である。
【図３】図２のＡ−Ａ断面拡大図である。
【符号の説明】
【００１６】
１  ブレード
１ａ  表面
１ｂ  裏面
２  表糸
３  裏糸
４  （ズレ防止用）規制珠
５  （ギャップ形成用）介在珠
６  小貫孔
７  糸挿通孔
８  ギャップ（間隙）
９  上下孔
Ｈ  所定間隔寸法
Ｌ  長手方向
Ｔ  表裏方向
Ｗ  幅方向
【図１】
0004406019.tif 000002
【図２】
0004406019.tif 000003
【図３】
0004406019.tif 000004